(57)【特許請求の範囲】
【請求項１】
発光領域および前記発光領域の周辺に設けられる非発光領域を含む面状発光パネルと、
前記面状発光パネルの発光面に対して間隙を隔てて配置された光学フィルタと、
前記光学フィルタの前記面状発光パネルとは反対側に配置された光拡散部材と、
を備え、
前記光学フィルタに対して、少なくとも２以上の前記面状発光パネルが並べられるようにして配置され、
前記面状発光パネルは、その面内において、前記発光領域の中央部正面輝度よりも周辺部正面輝度が強くなる光源輝度分布を有し、
前記光学フィルタは、その面内において、前記発光領域の中央部に対向する領域よりも前記非発光領域に対向する領域の方が透過率が高くなる光透過率分布を有する、面状発光ユニット。
【請求項２】
前記面状発光パネルは、
発光層と、
前記発光層を両側から挟む一対の電極層と、
前記一対の電極層に対する給電を行なうためにそれぞれの電極層に接続された電極部と、
を備え、
前記電極層のうち、面状発光パネルの光取出し面側が透明電極層で構成され、前記透明電極層に接続された電極部が、前記面状発光パネルの外周においてその発光領域を囲繞するよう形成されている、請求項１に記載の面状発光ユニット。
【請求項３】
前記光学フィルタは、
光透過部材と、
前記光透過部材の表面に形成される、複数の光透過領域を有するパターンとを有し、
前記光学フィルタの光透過率分布の調整は、複数の前記光透過領域の配置位置および大きさを調整することにより行なわれている、請求項１または請求項２に記載の面状発光ユニット。
【請求項４】
前記面状発光パネルは白色光源であり、前記パターンは白色材料を用いて形成されている、請求項３に記載の面状発光ユニット。
【発明の詳細な説明】
【技術分野】
【０００１】
本発明は、面状発光パネルを用いた面状発光ユニットの構造に関する。
【背景技術】
【０００２】
近年、有機ＥＬパネル（Organic  Electroluminescence  Panel）などの面発光素子を用いた発光効率の高い発光装置が注目を集めている。このような発光装置は、照明分野に限られず、液晶テレビ、計算機モニター、または、屋外広告などの各種電子機器のバックライト等としても用いられている。【０００３】
特開２０１２−１６３７８５号公報（特許文献１）には、面直下型ＬＥＤバックライト照明においてＬＥＤ光源輝度に合わせた光学シートを重ね、光学シートの透過率を中央と周辺とで割合を変えることによって均一な光源を得る手法が開示されている。
【先行技術文献】
【特許文献】
【０００４】
【特許文献１】特開２０１２−１６３７８５号公報
【発明の概要】
【発明が解決しようとする課題】
【０００５】
面状発光パネルの発光輝度分布において、面状発光パネルの周辺部分には非発光領域が形成されることが知られている。したがって、この面状発光パネルを縦横に複数枚並べて大きな光源として用いた面状発光ユニットにおいては、面状発光ユニットの発光面に非発光領域に起因する輝度ムラが生じる課題が挙げられる。【０００６】
この発明は上記課題に鑑みてなされたものであり、面状発光ユニットの発光面に面状発光パネルの非発光領域に起因する輝度ムラの発生を抑制することを可能とする、面状発光ユニットを提供することを目的とする。
【課題を解決するための手段】
【０００７】
この発明の一側面に従う面状発光ユニットにおいては、発光領域および上記発光領域の周辺に設けられる非発光領域を含む面状発光パネルと、上記面状発光パネルの発光面に対して間隙を隔てて配置された光学フィルタと、上記光学フィルタの上記面状発光パネルとは反対側に配置された光拡散部材と、を備える。【０００８】
上記光学フィルタに対して、少なくとも２以上の上記面状発光パネルが並べられるようにして配置され、上記面状発光パネルは、その面内において、上記発光領域の中央部正面輝度よりも周辺部正面輝度が強くなる光源輝度分布を有し、上記光学フィルタは、その面内において、上記発光領域の中央部に対向する領域よりも上記非発光領域に対向する領域の方が透過率が高くなる光透過率分布を有する。
【図面の簡単な説明】
【０００９】
【図１】実施の形態における面状発光パネルの基本構成を示す平面図である。
【図２】図２中ＩＩ−ＩＩ線矢視断面図である。
【図３】実施の形態における面状発光パネルの基本構成を示す部分分解斜視図である。
【図４】実施の形態における面状発光ユニットの概略構成を示す断面図である。
【図５】実施例１から３および比較例における面状発光パネルの光源輝度分布を示す図である。
【図６】実施例１から３および比較例における光学フィルタの開口密度分布を示す図である。
【図７】実施例１から３および比較例における面状発光ユニットの正面輝度分布を示す図である。
【図８】実施例１から３および比較例における光学フィルタの開口密度分布を示す概念部分拡大図である。
【発明を実施するための形態】
【００１０】
本発明に基づいた各実施の形態における面状発光パネルおよびこの面状発光パネルを用いた面状発光ユニットについて、以下、図を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。
【００１１】
（面状発光パネル１０）
図１および図２を参照して、本実施の形態における面状発光パネル１０の基本構成について説明する。図１は、面状発光パネル１０を示す正面図であり、面状発光パネル１０の背面１９の側から面状発光パネル１０を見たときの様子を示している。図２は、図１中ＩＩ−ＩＩ線矢視断面図である。
【００１２】
本実施の形態における面状発光パネル１０は、有機ＥＬから構成される。面状発光パネル１０は、複数の発光ダイオード（ＬＥＤ）と拡散板とから面状発光パネルとして構成されていてもよいし、冷陰極管等を用いて面状発光パネルとして構成されていてもよい。
【００１３】
図１および図２を参照して、面状発光パネル１０は、透明基板１１（カバー層）、陽極（アノード）１４、有機層１５、陰極（カソード）１６、封止部材１７および絶縁層１８を含む。陽極１４、有機層１５、および陰極１６により面状発光素子１を構成する。
【００１４】
透明基板１１は、面状発光パネル１０の表面１２、すなわち光取出し面（発光面）を形成し、透明基板１１の外周端面は、面状発光パネル１０の外周１０Ｅを形成している。陽極（電極層）１４、有機層１５および陰極（電極層）１６は、透明基板１１の裏面１３上に順次積層される。封止部材１７は、面状発光パネル１０の背面１９を形成している。
【００１５】
透明基板１１を構成する部材としては、ポリエチレンテレフタレート（ＰＥＴ）またはポリカーボネイト（ＰＣ）等の光透過性のフィルム基板が用いられる。透明基板１１に、各種ガラス基板を用いてもよい。
【００１６】
光透過性のフィルム基板としては、他にポリイミド、ポリエチレンナフタレート（ＰＥＮ）、ポリスチレン（ＰＳ）、ポリエーテルサルフォン（ＰＥＳ）、ポリプロピレン（ＰＰ）等が用いられる。
【００１７】
陽極１４は、透明性を有する導電膜であり、透明電極を構成している。陽極１４を形成するためには、スパッタリング法等によって、ＩＴＯ（Indium  Tin  Oxide：インジウム錫酸化物）等が透明基板１１上に成膜される。陽極１４に用いられる他の材料としては、ポリエチレンジオキシチオフェン（ＰＥＤＯＴ）が用いられる。
【００１８】
発光層（発光部）を形成する有機層１５は、電力を供給されることによって光（可視光）を生成することができる。有機層１５は、単層の発光層から構成されていてもよく、正孔輸送層、発光層、正孔阻止層、および電子輸送層などが順次積層されることによって構成されていてもよい。この有機層１５による光の生成により、発光領域ＬＡが形成される。
【００１９】
陰極１６は、たとえばアルミニウム（Ａｌ）である。陰極１６は、真空蒸着法等によって有機層１５を覆うように形成される。陰極１６を所定の形状にパターニングするために、真空蒸着の際にはマスクが用いられるとよい。陰極１６の他の材料としては、フッ化リチウム（ＬｉＦ）、ＡｌとＣａとの積層、ＡｌとＬｉＦとの積層、および、ＡｌとＢａとの積層等が用いられる。
【００２０】
陰極１６と陽極１４とが短絡しないように、陰極１６と陽極１４との間に絶縁層１８が設けられる。絶縁層１８は、たとえばスパッタリング法を用いてＳｉＯ２などが成膜された後、フォトリソグラフィ法等を用いて陽極１４と陰極１６とを互いに絶縁する箇所を覆うように所望のパターンに形成される。
【００２１】
封止部材１７は、絶縁性を有する樹脂またはガラス基板などから構成される。封止部材１７は、有機層１５を水分等から保護するために形成される。封止部材１７は、陽極１４、有機層１５、および陰極１６（面状発光パネル１０の内部に設けられる部材）の略全体を透明基板１１上に封止する。陽極１４の一部は、電気的な接続のために、封止部材１７から露出している。
【００２２】
封止部材１７には、ＰＥＴ、ＰＥＮ、ＰＳ、ＰＥＳ、ポリイミド等のフィルムに、ＳｉＯ２、Ａｌ２Ｏ３、ＳｉＮｘ等の無機薄膜と柔軟性のあるアクリル樹脂薄膜などを層状に複数層重ね合わせることでガスバリア性を備えたものが用いられる。電極部２１および電極部２２には、さらに金、銀、銅などを積層してもよい。
【００２３】
陽極１４の封止部材１７から露出している部分（図２左側）は、電極部２１（陽極用）を構成する。電極部２１と陽極１４とは互いに同じ材料で構成される。電極部２１は、図３によく表れるように、陽極１４の一対の角部を取り囲むように大きく設けられ、面状発光パネル１０の外周に位置している。電極部２１は、矩形形状の陽極１４の一辺の半分を超える長さに設定されている。
【００２４】
有機層１５と陽極１４側とは接触面積が大きく、また光を透過させるために陽極１４は薄く形成されることから、ある程度の電気抵抗を有する。したがって、周辺部より電力を供給することで、陽極１４の中央部では電圧降下が生じる。この電圧降下を利用して、その面内において、発光領域ＬＡの中央部正面輝度よりも周辺部正面輝度が強くなる光源輝度分布を与えることが可能となる。
【００２５】
陰極１６の封止部材１７から露出している（図２右側の）部分は、電極部２２（陰極用）を構成する。電極部２２と陰極１６とは互いに同じ材料で構成される。電極部２２は、図３によく表れるように、陽極１４の一対の角部とは異なる一対の角部に設けられ、面状発光パネル１０の外周に位置している。
【００２６】
電極部２１および電極部２２は、有機層１５を挟んで相互に反対側に位置している。隣り合う電極部２１および電極部２２同士の間には、分割領域２０（図１参照）が形成されている。電極部２１および電極部２２には、はんだ付け（銀ペースト）等を用いて配線パターン（図示せず）が取り付けられる。図からも理解されるとおり、陰極１６の電極部２２と陽極１４の電極部２１とを対比すると、封止部材１７から露出している領域は後者の方が大きい。換言すると、陽極１４の電極部２１は、面状発光パネル１０の外周において、発光領域ＬＡを囲繞するように形成されている。
【００２７】
以上のように構成される面状発光パネル１０の有機層１５には、外部の電源装置から、図示しない配線パターン、電極部２１，２２、陽極１４および陰極１６を通して電力が供給される。有機層１５で生成された光は、陽極１４および透明基板１１を通して、表面１２（発光面）から外部に取り出される。
【００２８】
表面１２において、略有機層１５に対応する領域が、光を発光する発光領域ＬＡを構成し、発光領域ＬＡを取り囲む周辺の領域が非発光領域ＮＬＡとなる。本実施の形態では、透明基板１１の外形サイズは、１００ｍｍ×１００ｍｍであり、発光領域ＬＡは、９０ｍｍ×９０ｍｍである。よって、非発光領域ＮＬＡは、発光領域ＬＡの周辺に設けられ、幅は５ｍｍである。
【００２９】
（面状発光ユニット１００）
次に、図４を参照して、上記構成を備える面状発光パネル１０を用いた面状発光ユニット１００の概略構成について説明する。図４は、面状発光ユニット１００の概略構成を示す断面図である。
【００３０】
この面状発光ユニット１００は、２枚の面状発光パネル１０を用いている。枚数に制限はなく、必要に応じた枚数を用いるとよい。本実施の形態において、２枚の面状発光パネル１０は、透明基板１１の外周１０Ｅ（図２参照）同士が略当接するように配置される。よって、発光領域ＬＡの間には、幅Ｃ（約１０ｍｍ）の非発光領域ＮＬＡが形成される。
【００３１】
面状発光パネル１０の発光面１２側には、この発光面１２に対して所定の間隙（ｂ：約１０ｍｍ）を隔てて光学フィルタ３１が、発光面１２に対して平行に配置されている。光学フィルタ３１は、厚さ３ｍｍ程度の透明なアクリル板３２に密着されている。
【００３２】
光学フィルタ３１には、インクジェットを用いて光透過領域が円形の開口部を有するパターンが印刷されている。このパターンは、光学フィルタ３１の透過率を調整する。開口部の直径は、たとえば、φ０．１ｍｍ、φ０．３ｍｍである。これらの開口部を適宜組み合わせて、光学フィルタ３１の開口密度が設定される。
【００３３】
開口サイズを一定にして、光学フィルタ３１の開口率分布を作成する場合、光源サイズ（本実施の形態では、９０ｍｍ×９０ｍｍ）に対して、１／３００以下の開口サイズ（本実施の形態では、０．３ｍｍ以下）で構成することが好ましい。開効率の差が付けやすくなるからである。好ましくは、光源サイズの１／９００（本実施の形態では、０．１ｍｍ以下）であるとよい。面状発光ユニット１００の発光面が大型化した場合において、発光面（画面）を俯瞰して観察した場合に開口が認識し難くなり、デザイン性を損なうことがないからである。
【００３４】
光学フィルタ３１の面状発光パネル１０とは反対側には、発光面１２に対して所定の間隙（ａ）を隔てて光拡散板３０が発光面１２に対して平行に配置されている。光拡散板３０は、アクリル板３２に対して空気を介在させている。光学フィルタ３１と光拡散板３０との間には、隙間（ｄ）が形成されている。
【００３５】
光拡散部材としての光拡散板３０は、粒子径、粒度分布および屈折率等において所望の値を有する光拡散剤（光拡散用の微粒子）を選び、ポリカーボネート樹脂などの基材中にその光拡散材が分散されることで作製されることができる。光拡散部材としては、光拡散板に限られず、光拡散シート、光透過散光光学フィルタまたは導光板なども好適に用いることができる。光拡散部材としては、マイクロレンズアレイ（凹凸）状の表面形状を有する透明基材が用いられてもよい。
【００３６】
好ましくは、非発光領域ＮＬＡにおける光学フィルタ３１と面状発光パネル１０との間の空間には、高反射部材等を配置して、光学フィルタ３１から面状発光パネル１０への反射光を非発光領域ＮＬＡに反射させて、反射光を再利用するとよい。
【００３７】
（実施例）
次に、図５から図８を参照して、本実施の形態の各実施例および比較例おける、面状発光パネル１０の光源輝度分布、光学フィルタ３１の開口密度分布、および、面状発光ユニット１００の正面輝度分布について説明する。面状発光ユニット１００の構成は、図４に示す構成となる。
【００３８】
図５は、実施例１から３および比較例における面状発光パネル１０の光源輝度分布を示す図、図６は、実施例１から３および比較例における光学フィルタ３１の開口密度分布を示す図、図７は、実施例１から３および比較例における面状発光ユニット１００の正面輝度分布を示す図、図８は、実施例１から３および比較例における光学フィルタの開口密度分布を示す概念部分拡大図である。
【００３９】
本実施例および比較例の面状発光ユニット１００は、光学フィルタ３１および光拡散板３０は透明なアクリル板３２の各面に形成される構成をとっている。アクリル板３２の厚みは、３ｍｍである（図４参照）。本実施例および比較例に用いた面状発光パネル１０は、白色の発光光源である。
【００４０】
光学フィルタ３１には、白色のインクを用いたインクジェット方式により、光透過率を調整する開口パターンを描画している。光学フィルタ３１は、アクリル板３２に密着している。光拡散板３０は、アクリル板３２の表面に空気を介在させた状態で、アクリル板３２に貼り付けている。
【００４１】
このように面状発光パネル１０が白色光源で構成される場合、光学フィルタ３１は白色の開口パターンにより実現されることが好ましい。光源と同じ白色で構成することによって光源の光の吸収を抑え、光の利用効率を上げることができる。また、光学フィルタ３１は、光を散乱する機能を有するとよい。
【００４２】
図８に示すように、光学フィルタ３１は、光透過部材３１ｐと、この光透過部材３１ｐの表面に設けられる、複数の開口部を有する白色のパターン３１ｓとを有する。光学フィルタ３１の開口率分布の調整は、複数の開口部３１ｄの配置位置および大きさ（開口径）を調整することにより行なわれている。
【００４３】
図８に示すように、領域３１ｘの開口部３１ｄの開口密度は、領域３１ｙの開口部３１ｄの開口密度よりも大きい分布を示している。開口部３１ｄの開口径としては、φ０．９ｍｍ、φ０．３ｍｍ、φ０．０１ｍｍ等が用いられる。
【００４４】
開口径を一定にして光学フィルタに開口を作成する場合、開口径は、光源サイズに対して１／１００以下の開口径で構成するとよい。本実施の形態の場合では、９０ｍｍ／１００＝φ０．９ｍｍとなる。φ０．９ｍｍの場合には、開口密度の差を付けやすくなる。好ましくは、光源サイズに対して１／１０００であるとよい。本実施の形態の場合では、９０ｍｍ／１０００＝φ０．０９ｍｍとなる。φ０．０９ｍｍの場合には、面状発光ユニットの発光面が大型化した場合に、発光面を俯瞰して観察しても開口を認識し難くなるからである。
【００４５】
（比較例）
図５の光源輝度分布に示す通り、比較例に用いた面状発光パネル１０は、光源面上はランバート配光光源が、正面輝度が均一になるように分布している。光学フィルタ３１には、透過率６６％の白インク（白膜）によって開口径φ０．３ｍｍを用いて、図６に示すような開口密度分布によって開口率を調整した開口密度となっている。
【００４６】
図７に示すように、比較例における面状発光ユニット１００の発光面における正面輝度分布は、２枚並べた面状発光パネル１０の間に生じる非発光領域に対応する領域で、輝度が低下していることが確認できる。
【００４７】
（実施例１：５％輝度分布）
実施例１における面状発光ユニット１００は、図１から図４に示した、周辺部からの給電量を多くした面状発光パネル１０を用いる。この面状発光パネル１０は、電子やホールの注入性のよい周辺部で明るくなる面発光光源である。図５に、実施例１の光源輝度分布を光源分布に示す。周辺部において中央部よりも５％輝度が高くなるように構成している。
【００４８】
実施例１に用いる光学フィルタ３１は、図６の光学フィルタ開口密度分布に示す通り、比較例と同様である。アクリル板３２も比較例と同様である。
【００４９】
実施例１の面状発光ユニット１００に用いる面状発光パネル１０は、その面内において、発光領域ＬＡの中央部正面輝度よりも周辺部正面輝度が強くなる光源輝度分布を有し、光学フィルタ３１は、その面内において、発光領域ＬＡの中央部に対向する領域よりも非発光領域ＮＬＡに対向する領域の方が開口密度が高くなる開口密度分布を有している。
【００５０】
その結果、図７に示すように、実施例１における面状発光ユニット１００の発光面における正面輝度分布は、２枚並べた面状発光パネル１０の間に生じる非発光領域に対応する領域で、比較例に比べて輝度が大きく向上し、輝度ムラの発生を軽減していることが確認できる。
【００５１】
（実施例２：２０％輝度分布）
実施例２における面状発光ユニット１００は、図１から図４に示した、周辺部からの給電量を多くした面状発光パネル１０を用いる。この面状発光パネル１０は、電子やホールの注入性のよい周辺部で明るくなる面発光光源である。図５に、実施例２の光源輝度分布を示す。周辺部において中央部よりも２０％輝度が高くなるように構成している。
【００５２】
実施例２に用いる光学フィルタ３１は、図６の光学フィルタ開口密度分布に示す通り、比較例と同様である。アクリル板３２も比較例と同様である。
【００５３】
実施例２の面状発光ユニット１００に用いる面状発光パネル１０は、その面内において、発光領域ＬＡの中央部正面輝度よりも周辺部正面輝度が強くなる光源輝度分布を有し、光学フィルタ３１は、その面内において、発光領域ＬＡの中央部に対向する領域よりも非発光領域ＮＬＡに対向する領域の方が開口密度が高くなる開口密度分布を有している。
【００５４】
その結果、図７に示すように、実施例２における面状発光ユニット１００の発光面における正面輝度分布は、２枚並べた面状発光パネル１０の間に生じる非発光領域に対応する領域で、実施例１に比べてさらに輝度が大きく向上し、輝度ムラの発生を軽減していることが確認できる。
【００５５】
（実施例３：２０％輝度分布、φ０．１ｍｍ）
実施例３における面状発光ユニット１００は、図１から図４に示した、周辺部からの給電量を多くした面状発光パネル１０を用いる。この面状発光パネル１０は、電子やホールの注入性のよい周辺部で明るくなる面発光光源である。図５に、実施例３の光源輝度分布を光源分布に示す。実施例２と同様に、周辺部において中央部よりも２０％輝度が高くなるように構成している。
【００５６】
実施例３に用いる光学フィルタ３１は、開口径がφ０．１ｍｍであり、図６に示すように、実施例１の光学輝度よりも高い輝度となる光学フィルタ開口密度を有している。開口サイズが小さくなることで、細やかな輝度補正が可能となる。
【００５７】
実施例３の面状発光ユニット１００は、面状発光パネル１０は、その面内において、発光領域ＬＡの中央部正面輝度よりも周辺部正面輝度が強くなる光源輝度分布を有し、光学フィルタ３１は、その面内において、発光領域ＬＡの中央部に対向する領域よりも非発光領域ＮＬＡに対向する領域の方が開口密度が高くなる開口密度分布を有している。
【００５８】
その結果、図７に示すように、２枚並べた面状発光パネル１０の間に生じる非発光領域に対応する領域で、実施例１に比べると輝度は上昇しているが、実施例２に比べると輝度は低下している。
【００５９】
しかし、実施例２と比較すると、実施例３においては全体的に、特に面状発光パネル１０の間に生じる非発光領域の近傍において輝度がなだらかに変化しており、実施例２よりも実施例３の方が輝度分布がなめらかであり非発光領域とその近傍との輝度差は小さい。これは、明暗の差が小さいことを意味しており、発光面の発光の均一化との観点では、実施例２よりも実施例３の方が優れている。
【００６０】
このように本実施の形態における面状発光ユニット１００によれば、面発光光源の周辺部正面輝度を、面発光光源の中央部正面輝度よりも強くすること、光学フィルタによって補正する面光源中央部と周辺部との輝度ムラの発生を緩和する。さらには、周辺部に対応する光学フィルタによって光源側へ戻された光を効率よく非発光部へ導き、面状発光ユニット１００の非発光領域に対応する発光面の輝度を高めることを可能とする。
【００６１】
さらに、光学フィルタの開口密度を、光源中央部よりも非発光部で高くすることによって、非発光部の輝度をそのままにし、光源中央部の輝度を抑えることで、面状発光ユニットの全面において輝度ムラの少ない大型面光源を構成することができる。
【００６２】
上記本実施の形態では、光学フィルタ３１の光透過率を調整する一つの方法として、開口密度を調整する方法について説明したが、この方法に限定されない。たとえば、光学フィルタ３１の光透過率を調整する他の方法としては、パターン自体の濃淡を変える方法が挙げられる。この場合の光透過率分布の調整方法としては、全体に同じパターンを用い、光透過率を高くしたい領域はパターンの濃度を淡くし、光透過率を低くしたい領域はパターンの濃度を濃くすることで、光学フィルタ３１の光透過率を調整することができる。また、パターン自体の濃淡の調整に加えて、上述した開口パターンと同様に、光透過領域の配置位置および大きさを更に調整するようにしてもよい。
【００６３】
上説明した面状発光ユニットにおいては、発光領域および上記発光領域の周辺に設けられる非発光領域を含む面状発光パネルと、上記面状発光パネルの発光面に対して間隙を隔てて配置された光学フィルタと、上記光学フィルタの上記面状発光パネルとは反対側に配置された光拡散部材と、を備える。
【００６４】
上記光学フィルタに対して、少なくとも２以上の上記面状発光パネルが並べられるようにして配置され、上記面状発光パネルは、その面内において、上記発光領域の中央部正面輝度よりも周辺部正面輝度が強くなる光源輝度分布を有し、上記光学フィルタは、その面内において、上記発光領域の中央部に対向する領域よりも上記非発光領域に対向する領域の方が透過率が高くなる光透過率分布を有する。
【００６５】
上記面状発光パネルはその一例として、発光層と、当該発光層を両側から挟む一対の電極層と、当該一対の電極層に対する給電を行なうためにそれぞれの電極層に接続された電極部とを備えている。そして、上記電極層のうち、面状発光パネルの光取出し面側、すなわち発光面側が透明電極層で構成され、当該透明電極層に接続された電極部が面状発光パネルの外周においてその発光領域を囲繞するよう形成されている。
【００６６】
他の形態では、上記光学フィルタは、光透過部材と、上記光透過部材の表面に形成される、複数の光透過領域を有するパターンとを有し、上記光学フィルタの光透過率分布の調整は、複数の上記光透過領域の配置位置および大きさを調整することにより行なわれている。
【００６７】
他の形態では、上記面状発光パネルは白色光源であり、上記パターンは白色材料を用いて形成されている。
【００６８】
上記構成を採用することにより、面状発光ユニットの発光面に面状発光パネルの非発光領域に起因する輝度ムラの発生を抑制することを可能とする面状発光ユニットの提供が可能となる。
【００６９】
以上、本発明の各実施の形態における面状発光ユニットについて説明したが、今回開示された実施の形態は全ての点で例示であって制限的なものではないと考えられるべきである。したがって、本発明の範囲は請求の範囲によって示され、請求の範囲と均等の意味および範囲内での全ての変更が含まれることが意図される。
【符号の説明】
【００７０】
１  面状発光素子、１０  面状発光パネル、１０Ｅ  外周、１１  透明基板、１２  表面、１３  裏面、１４  陽極、１５  有機層、１６  陰極、１７  封止部材、１８  絶縁層、１９  背面、３０  光拡散板、３１  光学フィルタ、３１ｓ、３１ｔ  領域、３１ｄ  開口、３１ｓ  パターン、３１ｐ  光透過部材。
【要約】
この面状発光ユニットの上記面状発光パネル（１０）は、その面内において、発光領域（ＬＡ）の中央部正面輝度よりも周辺部正面輝度が強くなる光源輝度分布を有し、光学フィルタ（３１）は、その面内において、発光領域（ＬＡ）の中央部に対向する領域よりも非発光領域（ＮＬＡ）に対向する領域の方が透過率が高くなる光透過率分布を有する。【図１】
0005700185.tif 000002
【図２】
0005700185.tif 000003
【図３】
0005700185.tif 000004
【図４】
0005700185.tif 000005
【図５】
0005700185.tif 000006
【図６】
0005700185.tif 000007
【図７】
0005700185.tif 000008
【図８】
0005700185.tif 000009